(57)【要約】【課題】  防護カバー部材に特殊形状を備えず、既存の防護カバー部材を改造して使用できるようにした遊技機を提供する。【解決手段】  パチンコ機１は、開口部を有する枠体状の筐体２及び該筐体２に対し開閉自在に支持された前扉３を備える遊技機本体と、該遊技機本体に設けられた放音装置８Ａ，８Ｂ及び該放音装置８Ａ，８Ｂを制御するサブ基板３１とを具備している。このパチンコ機１では、放音装置８Ａ，８Ｂの音量を調節するための音量調節スイッチ１２をサブ基板３１に設け、かつサブ基板３１を箱体状の防護カバー部材１１によって背面側から被覆し、防護カバー部材１１に、防護カバー部材１１の外方から音量調節スイッチ１２を直接に手動操作し得るサイズの開口部１１ａを形成している。【選択図】      図３
2005278836.tif 000002
【特許請求の範囲】
【請求項１】
開口部を有する枠体状の筐体及び該筐体に対し開閉自在に支持された前扉を備える遊技機本体と、該遊技機本体に設けられた放音装置及び該放音装置を制御する制御基板と、を具備してなる遊技機において、
前記放音装置の音量を調節するための音量調節スイッチを前記制御基板に設け、かつ、該制御基板を箱体状の防護カバー部材によって背面側から被覆し、
前記防護カバー部材に、該防護カバー部材の外方から前記音量調節スイッチを直接に手動操作し得るサイズの開口部を形成してなる、
ことを特徴とする遊技機。
【請求項２】
開口部を有する枠体状の筐体及び該筐体に対し開閉自在に支持された前扉を備える遊技機本体と、該遊技機本体に設けられた放音装置及び該放音装置を制御する制御基板と、を具備してなる遊技機において、
前記制御基板を箱体状の防護カバー部材によって背面側から被覆し、
前記防護カバー部材に、前記放音装置の音量を調節するための音量調節スイッチを取り付けてなる、
ことを特徴とする遊技機。
【発明の詳細な説明】
【技術分野】
【０００１】
本発明は、パチンコ機やスロットマシン等の遊技機に関し、特に、遊技機本体に備えた放音装置に対する音量調節時の操作性等を向上させた遊技機に関する。
【背景技術】
【０００２】
一般に、遊技機、例えばパチンコ機として、上受け皿に停留している遊技球（以下、単に「球」とも言う）が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口から排出されるように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当り抽選が行われると共に所定数の遊技球が払い出され、当該抽選の結果に応じて、遊技盤の中央部分に設けられた液晶等からなる特別図柄表示画面上で所定の演出表示が行われる。大当りの発生時には、アタッカーと呼ばれる大入賞口が開放し、入球に対応して多量の遊技球が払い出される状態となる。
【０００４】
上記のようなパチンコ機において、制御部、増幅回路、調整ボリューム等を含んだ排出制御回路基板を防護用の収容枠体内に備え、収容枠体外方側から調整ボリュームの摘みを操作することで、演出用に出力される音量の調節を、収容枠体をいちいち取り外すことなく簡便に行うことができるように構成したものが知られている（例えば、特許文献２参照）。
【０００５】
【特許文献１】特開２００３−２３６２１０号公報
【特許文献２】特開平１１−７６５０７号公報
【発明の開示】
【発明が解決しようとする課題】
【０００６】
しかし、上述の特許文献２に記載のパチンコ機では、音量調節作業は簡便になるものの、音量調節時における調節ボリュームの視認性を向上させる目的で、収容枠体の調節ボリュームに対向する位置に、該調節ボリュームの摘みを操作可能に突出させる凹部を形成しているため、構造が特殊なものとなり、当該凹部を有しない既存の収納枠体を改造して使用することはできなかった。このため、凹部を有する特殊形状の収納枠体をわざわざ別途作製しなければならず、既存の収納枠体を改造して用いることができない分、コストアップを招来する虞があった。
【０００７】
そこで本発明は、収納枠体（防護カバー部材）をその都度取り外さなくても音量調節作業を簡便に行うことができるものでありながら、特殊形状を備えず、既存の防護カバー部材を改造して使用することもできるように構成し、もって上述した課題を解決した遊技機を提供することを目的とするものである。
【課題を解決するための手段】
【０００８】
請求項１に係る本発明は（例えば図１ないし図５参照）、開口部を有する枠体状の筐体（２）及び該筐体（２）に対し開閉自在に支持された前扉（３）を備える遊技機本体と、該遊技機本体に設けられた放音装置（８Ａ，８Ｂ）及び該放音装置（８Ａ，８Ｂ）を制御する制御基板（３１）と、を具備してなる遊技機（１）において、
前記放音装置（８Ａ，８Ｂ）の音量を調節するための音量調節スイッチ（１２）を前記制御基板（３１）に設け、かつ、該制御基板（３１）を箱体状の防護カバー部材（１１）によって背面側から被覆し、
前記防護カバー部材（１１）に、該防護カバー部材（１１）の外方から前記音量調節スイッチ（１２）を直接に手動操作し得るサイズの開口部（１１ａ）を形成してなる、
ことを特徴とする遊技機（１）にある。
【０００９】
請求項２に係る本発明は（例えば図１ないし図３、並びに図５及び図６参照）、開口部を有する枠体状の筐体（２）及び該筐体（２）に対し開閉自在に支持された前扉（３）を備える遊技機本体と、該遊技機本体に設けられた放音装置（８Ａ，８Ｂ）及び該放音装置（８Ａ，８Ｂ）を制御する制御基板（３１）と、を具備してなる遊技機（１）において、
前記制御基板（３１）を箱体状の防護カバー部材（１１）によって背面側から被覆し、
前記防護カバー部材（１１）に、前記放音装置（８Ａ，８Ｂ）の音量を調節するための音量調節スイッチ（１２）を取り付けてなる、
ことを特徴とする遊技機（１）にある。
【００１０】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１１】
請求項１に係る本発明によると、放音装置の音量を調節するための音量調節スイッチを制御基板に設け、かつ該制御基板を箱体状の防護カバー部材によって背面側から被覆し、防護カバー部材に、該防護カバー部材の外方から音量調節スイッチを直接に手動操作し得るサイズの開口部を形成したので、遊技店で遊技機の音量調節を行う場合、開口部を見ることで音量調節スイッチの設置位置を容易に確認できると共に、防護カバー部材をその都度いちいち取り外さなくても音量調節作業を極めて容易に行うことができ、遊技店係員の音量調節に係る手間を省くことができる。更に、従来のように調節ボリュームの摘みを突出させるための凹部を有しないので、構造が極めてシンプルとなり、音量調節スイッチを外方から直接手動操作し得るサイズの開口部を既存の防護カバー部材に形成して活用することもでき、従って、既存の防護カバー部材を改造して使用できる分、コストダウンを期待することができる。
【００１２】
請求項２に係る本発明によると、制御基板を箱体状の防護カバー部材によって背面側から被覆し、防護カバー部材に、放音装置の音量を調節するための音量調節スイッチを取り付けたので、遊技店で遊技機の音量調節を行う場合、防護カバー部材から露出する音量調節スイッチを容易に確認できると共に、防護カバー部材をその都度いちいち取り外さなくても音量調節作業を極めて容易に行うことができ、遊技店係員の音量調節に係る手間を省くことができる。更に、従来のように調節ボリュームの摘みを突出させるための凹部を有しないので、構造が極めてシンプルとなり、音量調節スイッチを既存の防護カバー部材に容易に取り付けて活用することもでき、従って、既存の防護カバー部材を使用できる分、コストダウンを期待することができる。しかも、音量調節スイッチが故障した際には、防護カバー部材を何ら取り外すことなく、当該音量調節スイッチのみを交換することが可能になるので、上述した従来技術にあっては調節ボリュームの故障時に収容枠体をいちいち取り外して交換作業しなければならなかったのに比して、交換作業が大幅に簡素化すると共に、音量調節スイッチと同じ制御基板に実装されている制御部や増幅回路等を損傷させるような不都合の発生を確実に防止することができる。
【発明を実施するための最良の形態】
【００１３】
以下、本発明に係る遊技機の実施形態として、遊技場等に設置されるパチンコ機を図１ないし図６に沿って説明する。なお、本発明は、遊技機としてのスロットマシンにも適用できることは勿論である。
【００１４】
なお、図１は本発明に係るパチンコ機の外部構造を示す正面図、図２は球受け皿を拡大して示す正面図、図３はパチンコ機の背面構造を示す背面図、図４は本発明の第１実施形態における音量調節スイッチの装着構造を示す背面図、図５は本パチンコ機の制御系を示すブロック図、図６は本発明の第２実施形態における音量調節スイッチの装着構造を示す背面図である。
【００１５】
＜第１実施形態＞
本パチンコ機１は、後述の発射ハンドル９の操作に基づく発射装置１５の作動で遊技球（所謂パチンコ玉）を遊技盤面部７に打ち出しつつ遊技を行うもので、所謂確率変動等の大当りが発生した状態でアタッカー（大入賞口）１０に入球（入賞）した遊技球に対応する数の遊技球を払い出すように構成されている。上記確率変動（確変当り）とは、遊技盤面部７上の始動チャッカー２６（図１参照）への入球時に行われる抽選の結果、確変モードの大当りが当選したとき、少なくとも当該確変モードによる遊技状態において次なる大当りを引くまでの間、遊技者に有利な付加価値を付与し得る特殊状態を意味する。これに対し、当該特殊状態にならない大当りとして「通常当り」がある。
【００１６】
図１に示すように、本パチンコ機１は、開口部を有する枠体状の筐体２と、筐体２に開閉自在に支持された前扉３とを有しており、前扉３の前面には、透明ガラス（図示せず）を有するガラス枠５が開閉可能に取付けられており、前扉３の閉止状態での透明ガラス奥側にあたる位置には遊技盤面部７が装着されている。遊技盤面部７の中央部にはセンター飾り２０が配置され、かつ該センター飾り２０の中央部分には、図柄を表示する液晶等の図柄表示装置２１が配置されている。更に、図柄表示装置２１の中央部下方には、上方に開口する始動チャッカー（特別図柄始動口）２６が配置され、始動チャッカー２６の左右には、スルーチャッカー６及び二連入球口４が夫々配置され、始動チャッカー２６の下方にはアタッカー１０が配置されている。上記始動チャッカー２６に入球した際、主基板３０（図５参照）に備えた抽選手段（図示せず）による当り抽選が行われると共に、図柄表示装置２１が始動する。
【００１７】
また、ガラス枠５における所定位置には演出用照明装置２３（図５参照）が配置されており、前扉３における上部には、スピーカ（図示せず）を有する放音装置８Ｂが配置されている。また、前扉３における下部には、スピーカ２５を有する放音装置８Ａ（図２参照）が配置されており、該スピーカ２５の左方には発射装置１５が配置されている。以下、放音装置８Ａと放音装置８Ｂとを合わせて放音装置８とも表記する。なお、筐体２、及び遊技盤面部７等を含む前扉３によって遊技機本体が構成されている。
【００１８】
遊技機本体の前側、つまり前扉３の下部には、遊技球が供給される皿ユニット１３が前扉３に対する左右方向に回動可能に設けられている。この皿ユニット１３は、パチンコ機における所謂上皿と下皿とを一体にした形状にされている。また、前扉３における皿ユニット１３の右側下方には、発射装置１５を作動させて遊技球を遊技盤面部７に向けて打ち出すための発射ハンドル９が設けられている。
【００１９】
図２に示すように、皿ユニット１３には、上部左方に、皿ユニット１３上の遊技球を発射装置１５付近から皿ユニット下部の球排出口（図示せず）を通して下方に排出するための第１球抜きボタン２２ａが配置され、略々中央部に、遊技球を皿ユニット１３の中央部分から上記球排出口を通して下方に排出するための第２球抜きボタン２２ｂが配置されている。該球抜きボタン２２ｂの左右には放音装置８Ａが配置され、かつ該放音装置８Ａの左右には、灰皿２４及び発射ハンドル９が夫々配置されている。
【００２０】
また、図３に示すように、パチンコ機１の前扉背面における上部左方には、賞球タンク２７が取り付けられており、この賞球タンク２７の下方に、サブ基板３１、主基板３０及び払出し制御基板３８が順に配置されている。また、前扉背面における上部右方には、外部端子板２８が取り付けられており、この外部端子板２８の下方に、賞球装置３２、電源ユニット３３、及び発射装置１５用の発射制御基板３５が順に配置されている。
【００２１】
ここで、本発明の特徴である音量調節のための構成について詳細に説明する。すなわち、図３及び図４に示すように、サブ基板（制御基板）３１の背面中央下部には、放音装置８Ａ，８Ｂから発せられる音響及び／又は音声の音量を調節するための音量調節スイッチ１２が取り付けられている。また、サブ基板３１の背面側には、サブ基板３１の全体を背面側から被覆する箱体状の防護カバー部材１１が装着・固定されている。
【００２２】
上記防護カバー部材１１は、硬質の透明樹脂材料によって形成されるもので、サブ基板３１の背面中央下部において上記防護カバー部材１１に対向する箇所には、防護カバー部材１１の外方から音量調節スイッチ１２を直接に手動操作し得るサイズの開口部１１ａが形成されている。この開口部１１ａのサイズは、例えば、左右方向寸法及び上下方向寸法の双方が２〜３［cm］の範囲に設定されることが好ましい。
【００２３】
上記音量調節スイッチ１２は、図３及び図４における左右方向にスライド切換え自在に構成された摘み部１２ａを有しており、防護カバー部材１１における開口部１１ａの上部には、摘み部１２ａのスライド切換え位置に応じた音量の程度を操作者に認識させ得るように「音量、小、中、大」と記載した表示部１４が設けられている。例えば、これら図３及び図４における摘み部１２ａは、音量「小」の位置に切換え操作された状態で示される。
【００２４】
次に、本実施形態におけるパチンコ機１の制御系を図５に沿って説明する。すなわち、本制御系は、主基板３０と、この主基板３０に接続されたサブ基板３１とを有している。主基板３０は、本パチンコ機１の動作全体を管理するものであり、当該パチンコ機１の動作全体を管理するシステムプログラム及び遊技用の実行プログラムが予め記憶された半導体メモリ等からなる記憶部（図示せず）と、これらのプログラムを実行するマイクロプロセッサ（ＭＰＵ）とを備えている。
【００２５】
サブ基板３１は、音量調節制御手段２９を有している。そして、当該サブ基板３１には、発射制御基板３５を介して発射装置１５が接続されると共に、放音装置８（８Ａ，８Ｂ）、演出用照明装置２３、図柄表示装置２１、及び音量調節スイッチ１２が接続されている。当該サブ基板３１は、主基板３０中の上記マイクロプロセッサから供給される演出制御信号に従って、実装された電気回路からなる適宜の手段が放音装置８、演出用照明装置２３及び図柄表示装置２１を適時駆動して、遊技者の視覚及び聴覚に訴える演出表示を行うように機能する。
【００２６】
放音装置８、演出用照明装置２３及び図柄表示装置２１は、サブ基板３１による制御に応答して、通常時の演出や大当り時における特別な演出を、音や光等によって行う。また発射装置１５は、発射ハンドル９が操作された際、サブ基板３１の制御に基づく発射制御基板３５からの信号に応答して、遊技球を遊技盤面部７に向けて打ち出す発射動作を行う。
【００２７】
音量調節制御手段２９は、放音装置８Ａ，８Ｂの双方から発せられる音響及び／又は音声の音量を、音量調節スイッチ１２の摘み部１２ａの「小」「中」「大」の各位置への切換えに対応するように調節・制御する。
【００２８】
したがって、本実施形態におけるパチンコ機１では、皿ユニット１３上に遊技球が滞留している状態にて、遊技者が発射ハンドル９を握って適宜の角度回動させて保持すると、発射装置１５の作動によって遊技球が遊技盤面部７に向けて打ち出され、始動チャッカー２６や二連入球口４等への入球による遊技が進められる。
【００２９】
そして例えば、遊技中の遊技者の要請に応じて、或いは閉店後の翌日の開店前の時点で、放音装置８の音量を調節しようとする場合、遊技店の係員は、前扉３を筐体２に対し回動させて開放した状態で前扉３の背面を視認した際、露出した開口部１１ａを見ることで音量調節スイッチ１２の設置位置を容易に確認することができる。そして、防護カバー部材１１をその都度いちいち取り外さなくても音量調節作業を極めて容易に行うことができ、遊技店係員の音量調節に係る手間を省くことができる。
【００３０】
更に、本実施形態の構成によると、従来のように調節ボリュームの摘みを突出させるための凹部を有しないことにより、極めてシンプルな構造が得られ、音量調節スイッチ１１を外方から直接手動操作し得るサイズの開口部１１ａを既存の防護カバー部材に形成して活用することもでき、従って、既存の防護カバー部材を改造して使用できる分、コストダウンを期待することができる。
【００３１】
なお、例えば、音量調節スイッチ１２を防護カバー部材１１外方から手動操作し得るようなスライド部材を、上記開口部１１ａに摺動自在に嵌合して備える構成とすることも可能である。
【００３２】
＜第２実施形態＞
ついで、図６に沿って、上述した音量調節のための構成を変更した第２実施形態について説明するが、図１ないし図５に示した先の実施形態に比し、音量調節スイッチ１２を防護カバー部材１１側に取り付けた点が異なるだけで、他の部分は略々同一なので、主要部分に同一符号を付して説明を省略する。
【００３３】
すなわち、本実施形態では、サブ基板３１が、箱体状の防護カバー部材１１によって背面側から被覆されており、該防護カバー部材１１の背面部には、放音装置８Ａ，８Ｂの音量を調節するための音量調節スイッチ１２がブラケット３６を介して取り付けられている。このブラケット３６は、周囲を小径ビスを介して防護カバー部材１１に固定されている。そして、防護カバー部材１１における音量調節スイッチ１２の上側には、表示部１４が直接設けられている。なお、防護カバー部材１１側に取り付けた音量調節スイッチ１２とサブ基板３１側とを接続するリード線類は、ブラケット３６に隠れており、図面には現れていない。
【００３４】
従って、上記構成を有する本実施形態によると、遊技店においてパチンコ機１の音量調節を行う場合、防護カバー部材１１の背面部に露出する音量調節スイッチ１２を容易に確認できると共に、防護カバー部材１１をその都度いちいち取り外さなくても音量調節作業を極めて容易に行うことができ、遊技店係員の音量調節に係る手間を省くことができる。更に、従来のように調節ボリュームの摘みを突出させるための凹部を有しないので、構造が極めてシンプルとなり、音量調節スイッチ１２を既存の防護カバー部材に容易に取り付けて活用することもでき、従って、既存の防護カバー部材を使用できる分、コストダウンを期待することができる。
【００３５】
しかも、本実施形態によると、音量調節スイッチ１２が故障した際には、防護カバー部材１１をサブ基板３１側から取り外すことなく、小径ビスを緩めてブラケット３６を外すだけで、当該音量調節スイッチ１２のみを交換することが可能となる。このため、上述した従来技術にあっては調節ボリュームの故障時に収容枠体をいちいち取り外して交換作業しなければならなかったのに比して、交換作業が大幅に簡素化すると共に、音量調節スイッチ１２と同じサブ基板３１に実装されている他の回路等を損傷させるような不都合の発生を確実に防止することができる。
【００３６】
なお、本実施形態では、音量調節スイッチ１２を防護カバー部材１１の背面部に取り付けたが、これに限らず、音量調節スイッチ１２を、例えば防護カバー部材１１の側面部に取り付けることも可能であり、その場合も略々同様の効果を得ることができる。
【００３７】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００３８】
【図１】本発明に係るパチンコ機の外部構造を示す正面図である。
【図２】球受け皿を拡大して示す正面図である。
【図３】パチンコ機の背面構造を示す背面図である。
【図４】本発明の第１実施形態における音量調節スイッチの装着構造を示す背面図である。
【図５】本パチンコ機の制御系を示すブロック図である。
【図６】本発明の第２実施形態における音量調節スイッチの装着構造を示す背面図である。
【符号の説明】
【００３９】
１…パチンコ機（遊技機）
２…筐体
３…前扉
７…遊技盤面部
８，８Ａ，８Ｂ…放音装置
１１…防護カバー部材
１１ａ…開口部
１２…音量調節スイッチ
３１…サブ基板（制御基板）
【図１】
2005278836.tif 000003
【図２】
2005278836.tif 000004
【図３】
2005278836.tif 000005
【図４】
2005278836.tif 000006
【図５】
2005278836.tif 000007
【図６】
2005278836.tif 000008